(57)【要約】【課題】携帯電話機の通電端子と電池パックの通電端子との接触を安定した状態で保持することのできる携帯端末装置を提供する。【解決手段】電池収納枠体３０は、電池パック２０を両側から保持する側板部１１と第一の側板４１および第二の側板４２とを有する側板部４０とから構成され、電池パック２０の収納時に、側板部４０の第一の側板４１および第二の側板４２は、電池パック２０の円形凸部との接触圧に抗して、電池パック２０を側板部１１側に押圧する方向に変位させる弾力を付与する。【選択図】        図１
2008109494.tif 000002
【特許請求の範囲】
【請求項１】
電池パックを電池収納部内に収納する携帯端末装置であって、
前記電池収納部に形成された収納開口部を閉塞する閉塞カバーと
前記電池収納部の両側に配置されるとともに、前記電池パックを両側から保持する第一の側板部と第二の側板部とを備え、
前記第一の側板部の所定位置には、前記電池パックの収納時に、当該電池パックの一端面に設けられた電源供給端子と接触する通電端子が設けられ、
前記第二の側板部は、
前記電池収納部内に収納される電池パックの他端面との接触圧に抗して、当該電池パックを、前記第一の側板部側に押圧する方向に変位させることを特徴とする携帯端末装置。
【請求項２】
前記第二の側板部は、
前記電池収納部内に収納される電池パックの他端面との接触圧に抗して、前記電池パックを、前記第一の側板部側に押圧する弾性を有する弾性部材により構成されていることを特徴とする請求項１に記載の携帯端末装置。
【請求項３】
前記第二の側板部は、弾性を有するとともに、それぞれ反対側に向けてく字状に屈曲する一対の側板部材を備え、前記電池パックの収納に伴う当該電池パックの他端面との当接時には、前記一対の側板部材が有する弾性力により、前記電池パックを第一の側板部側に向けて変位させることを特徴とする請求項１に記載の携帯端末装置。
【請求項４】
前記電池収納部に形成された収納開口部の所定位置には、前記閉塞カバーに設けられた係合爪部と係合自在な係合溝部が形成されるとともに、当該係合溝部の一部には、前記第二の側板部の先端部と当接する段部が形成されていることを特徴とする請求項１、２または３に記載の携帯端末装置。
【請求項５】
前記電池パックの他端面には、前記電池収納部内に電池パックを収納する際に、前記第一の側板部を押圧する凸部が設けられていることを特徴とする請求項1〜４の何れか一つに記載の携帯端末装置。
【発明の詳細な説明】
【技術分野】
【０００１】
本発明は、電池パックを電池収納部内に収納する携帯端末装置に関し、特に、電池収納部内に収納する電池パックを安定した状態で保持することのできる携帯端末装置に関するものである。
【背景技術】
【０００２】
従来から携帯電話機に使用される電池には、リチウムイオン電池などの電池パックが用いられている。通常、このような携帯電話機に装着される電池パックは、携帯電話機の筐体ケースに設けた電池収納部の内部に収納されている。また、近年の携帯電話機は多機能化された種々の機能が要求されているため、携帯電話機の大きさ（サイズ）は、軽量化とともに、小型化となる傾向となっている。このため、電池パックを収納する電池収納部の占有スペースも小型化とする傾向となっている。
【０００３】
[従来の電池パック２０の収納構造]
ここで、図８および図９を参照して、従来の電池パックの収納構造について簡単に説明する。図８は、従来の携帯電話機Ｐにおける電池パック２０の収納構造を説明する分解斜視図である。なお、この図８では、携帯電話機Ｐを後ろ向きに反転させた状態を示している。また、図９は、携帯電話機Ｐの電池収納枠体１０ａ内に電池パック２０を収納する手順の一例を示す説明図である。
【０００４】
図８、９に示すように、携帯電話機Ｐは、本体側の筐体ケース１（図８、９の下側）と、この本体側の筐体ケース１の底部（図８、９の上側）に位置する筐体ケース２とにより構成されている。また、筐体ケース２の所定位置には、電池パック２０を収納するための電池収納部１０を構成する電池収納枠体１０ａが設けられている。電池収納部１０の開口部は、リアカバー３により閉塞される。
【０００５】
また、この電池収納枠体１０ａを構成する一方(図８の左側、図９の右側)の側板部１１には、電池パック２０の一端部(図９の右側)に固設された２箇所の凸部２１と係合する２箇所の凹部１３が形成されている。また、側板部１１のほぼ中央部（図８）には、電池パックＰの通電端子２３（図１０）と接触自在な通電端子１５が設けられている。
【０００６】
また、電池収納枠体１０ａを構成する他方(図８の右側、図９の左側)の側板部１２には、電池パック２０の他端部(図９の左側)に設けられた円形凸部２２と係合する円形凹部１４が形成されている。
【０００７】
また、筐体ケース２の開口部の一部には、リアカバー３を筐体ケース２に取り付けるための溝孔１６が形成されている。この溝孔１６は、リアカバー３の他端部(図８の右側、図９の左側)に設けた鉤状に形成された係合爪部４と係合自在となっている。
【０００８】
[従来の電池パック２０の収納手順]
次に、図９を参照して、上述した従来の電池パック２０の収納手順について簡単に説明する。すなわち、図９に示すように、（１）先ず、電池パック２０の一端部(図９の右側)に設けられた凸部２１を、電池収納枠体１０ａの側板部１１に設けられた凹部１３にそれぞれ嵌合させる。
【０００９】
（２）この状態で、電池パック２０の他端部(図９の左側)を電池収納枠体１０ａ内に嵌め込み、次いで、円形凸部２２を電池収納枠体１０ａの側板部１２に設けられた円形凹部１４に嵌合させる。（３）次に、リアカバー３の係合爪部４を電池収納枠体１０ａの開口部の他端部(図９の左側)に形成された溝孔１６に係合させるとともに、このリアカバー３の一端部(図９の右側)を電池収納枠体１０ａの開口部に係合させる。以上の（１）〜（３）手順により、電池パック２０を携帯電話機Ｐの電池収納枠体３０の内部に装着し収納することができる。
【００１０】
この種の電池パックを電池収納部内に収納する電池パックの収納構造について、例えば、特許文献１には、携帯電話機の電池収納部内に収納した電池パックを固定するためのロック爪と、このロック爪によるロックを解除するためのロック解除ピンとを電池パックの一端から延出させたヒンジに設けた携帯電話の電池パック取付構造が開示されている。
【００１１】
この従来構造の場合、ロック爪を解除するためのロック解除ピンは、電池パックの一端から延出させたヒンジに設けられているため、ロック解除ピンを指などで動かすための空間を必要とせず、これにより、無駄なスペースを不要とすることができ、電池収納部内に収納した電池パックの取り付けおよび取り外しを容易に行なうことができるとともに、携帯電話機の小型化を図ることができる。
【００１２】
また、例えば、特許文献２には、携帯電話機に設けられた電池収納部の開口部（内に収納した電池パック）を閉塞する電池カバーにロックプレートを固設するとともに、電池収納部の開口部の隣接位置にロックプレートと嵌合自在な係合凹部を形成し、この係合凹部にロックプレートを嵌合させることで、電池収納部を電池カバーで閉塞する電子機器について開示されている。この場合、ロックプレートは、電池カバーと別部品としてではなく、一体化されているため、部品点数の削減および電池収納部に対する電池カバーの取り付けの容易化を図ることができる。
【００１３】
また、例えば、特許文献３には、電池収納部を閉塞するカバーの表面および裏面側の材質を弾性を有する樹脂と硬質の樹脂との２層構造とする電子機器のカバー機構について開示されている。このカバー機構の場合、カバーとキャビネット間で発生するガタやガタによる異音の発生をカバー自体の弾性変形により軽減することができる。
【００１４】
【特許文献１】特開２０００−３６８５８号公報
【特許文献２】特開平９−７５７０号公報
【特許文献３】特開平９−１２０４７号公報
【発明の開示】
【発明が解決しようとする課題】
【００１５】
ところが、上述した従来例で示した携帯電話機における電池パックの収納構造の場合、携帯電話機の使用頻度などに起因して、電池収納部１０の電池収納枠体１０ａ内に収納した電池パック２０に対する保持機能が低下するという問題がある。以下、この電池パック２０に対する保持機能に関する問題点について、図１０を参照して説明する。図１０は、電池パック２０の通電端子２３と携帯電話機Ｐの通電端子１５との接触状態を示す説明図である。
【００１６】
すなわち、図１０に示すように、電池パック２０を電池収納枠体１０ａ内に収納する場合、側板部１１に形成された凹部１３に電池パック２０の凸部２１が嵌合するとともに、
側板部１２に形成された円形凹部１４に電池パック２０の円形凸部２２（図９）が嵌合することで、この電池パック２０は電池収納枠体１０ａの側板部１１と側板部１２との間で保持されるものとなる。
【００１７】
また、このように電池パック２０を電池収納枠体１０ａ内に収納した時には、側板部１１の通電端子１５に電池パック２０の通電端子２３が押し付けられるため、これにより通電端子１５と通電端子２３とが当接し電池パック２０による通電が可能となる（電源の供給）。
【００１８】
ところが、例えば、携帯電話機Ｐを落下させたり、電池パック２０の交換を頻繁に行なった場合などでは、電池収納枠体１０ａの収納空間（スペース）と、この電池収納枠体１０ａ内に収納した電池パック２０との間に僅かなガタ（隙間Ｔ）などが発生する恐れがある。
【００１９】
これにより、電池パック２０を電池収納枠体１０ａ内に収納した場合に、隙間Ｔにより通電端子１５に対する通電端子２３の押し付け力（押圧力）が低下するため、携帯電話機Ｐの通電端子１５と電池パック２０の通電端子２３との接触圧のバラツキにともなう接触不良が発生する恐れがあり、信頼性の点から問題がある。
【００２０】
また、上述した従来技術として、開示された公知例（特許文献１、特許文献２および特許文献３）の場合においても、携帯電話機の小型化やカバーの取り付けの容易化を図ることができるが、依然として、電池収納部に対する電池パックの収納時に、携帯電話機側の通電端子と電池パックの通電端子との接触を安定した状態で保持するができないという問題がある。
【００２１】
そこで、この発明は、上述した従来技術の課題を解決するためになされたものであり、電池収納部に対する電池パックの装着時に、携帯電話機側の通電端子と電池パック側の通電端子との接触を安定した状態で保持することのできる携帯端末装置を提供することを目的とする。
【課題を解決するための手段】
【００２２】
上述した課題を解決し、目的を達成するため、請求項１に記載の発明は、電池パックを電池収納部内に収納する携帯端末装置であって、前記電池収納部に形成された収納開口部を閉塞する閉塞カバーと前記電池収納部の両側に配置されるとともに、前記電池パックを両側から保持する第一の側板部と第二の側板部とを備え、前記第一の側板部の所定位置には、前記電池パックの収納時に、当該電池パックの一端面に設けられた電源供給端子と接触する通電端子が設けられ、前記第二の側板部は、前記電池収納部内に収納される電池パックの他端面との接触圧に抗して、当該電池パックを、前記第一の側板部側に押圧する方向に変位させることを特徴とする。
【００２３】
また、請求項２に記載の発明は、上記発明において、前記第二の側板部は、前記電池収納部内に収納される電池パックの他端面との接触圧に抗して、前記電池パックを、前記第一の側板部側に押圧する弾性を有する弾性部材により構成されていることを特徴とする。
【００２４】
また、請求項３に記載の発明は、上記発明において、前記第二の側板部は、弾性を有するとともに、それぞれ反対側に向けてく字状に屈曲する一対の側板部材を備え、前記電池パックの収納に伴う当該電池パックの他端面との当接時には、前記一対の側板部材が有する弾性力により、前記電池パックを第一の側板部側に向けて変位させることを特徴とする。
【００２５】
また、請求項４に記載の発明は、上記発明において、前記電池収納部に形成された収納開口部の所定位置には、前記閉塞カバーに設けられた係合爪部と係合自在な係合溝部が形成されるとともに、当該係合溝部の一部には、前記第二の側板部の先端部と当接する段部が形成されていることを特徴とする。
【００２６】
また、請求項５に記載の発明は、上記発明において、前記電池パックの他端面には、前記電池収納部内に電池パックを収納する際に、前記第一の側板部を押圧する凸部が設けられていることを特徴とする。
【発明の効果】
【００２７】
請求項１の発明によれば、携帯端末装置の電池収納部は、電池収納部に形成された収納開口部を閉塞する閉塞カバーと電池パックを両側から保持する第一の側板部と第二の側板部とを備え、第一の側板部には、前記電池パックの一端面に設けられた通電端子と接触する通電端子が設けられ、第二の側板部は、電池収納部に対する電池パックの収納時に、電池パックの他端面との接触圧に抗して、電池パックを第一の側板部側に押圧する方向に変位させる弾力を付与する機能を備えるので、電池パックの収納時に、携帯電話機の通電端子と電池パックの通電端子との接触を安定した状態で保持することができるため、これにより、携帯電話機本体の通電端子と電池パックの通電端子との接触不良が発生することを防止することができる。
【００２８】
また、請求項２の発明によれば、第二の側板部は、電池収納部内に収納される電池パックの他端面との接触圧に抗して、電池パックを、第一の側板部側に押圧する弾性を有する弾性部材により構成されているので、電池パックの収納時に、弾性部材による弾力により携帯電話機の通電端子と電池パックの通電端子との接触を安定した状態で保持することができるため、これにより、携帯電話機本体の通電端子と電池パックの通電端子との接触不良が発生することを防止することができる。
【００２９】
また、請求項３の発明によれば、第二の側板部は、弾性を有するとともに、それぞれ反対側に向けてく字状に屈曲する一対の側板部材を備え、電池パックの収納に伴う当該電池パックの他端面との当接時には、一対の側板部材が有する弾性力により、電池パックを第一の側板部側に向けて変位させるので、電池収納部に対する電池パックの収納時に、一対の側板部材による弾力により携帯電話機の通電端子と電池パックの通電端子との接触を安定した状態で保持することができるため、これにより、携帯電話機本体の通電端子と電池パックの通電端子との接触不良が発生することを防止することができる。
【００３０】
また、請求項４の発明によれば、電池収納部に形成された収納開口部の所定位置には、閉塞カバーに設けられた係合爪部と係合自在な係合溝部が形成されるとともに、当該係合溝部の一部には、第二の側板部の先端部と当接する段部が形成されているので、第二の側板部の先端部と段部との係合により、第二の側板部の固定を確実に行なうことができる。
【００３１】
また、請求項５の発明によれば、電池収納部内に電池パックを収納する際に、第一の側板部は、電池パックの他端面に設けられた凸部に押圧されるので、第一の側板部に対する押圧を良好に行なうことができるうえ、電池収納枠体内に確実に電池パックを収納することができる。
【発明を実施するための最良の形態】
【００３２】
以下に添付図面を参照して、この発明に係る携帯端末装置の好適な実施例を詳細に説明する。なお、本実施例では、携帯端末装置の一例として携帯電話機への適用例を示す。
【００３３】
図１は、本発明の実施例に係る携帯電話機の構成を示す縦断面図である。また、図２−１は、図１の一方（右側）を示す要部拡大断面図である。また、図２−２は、図１の他方（左側）を示す要部拡大断面図である。なお、以下に示す実施例によりこの発明が限定されるものではない。
【実施例】
【００３４】
ここで、従来例として示した電池パックの収納構造と本実施例で示す電池パックの収納構造との相違点は、電池収納枠体３０の両側に配置された一対の側板部１１、側板部４０のうちの側板部４０の構成にある。このため、以下に示す実施例についての説明では、本実施例の特徴部分である側板部４０の構成及び作用を中心として説明し、従来構造と同様の部分についての詳細な説明は省略する。
【００３５】
図１および図２−１、図２−２に示すように、携帯電話機Ｐは、送話用に用いられるテンキー（０〜９）、機能キー（モード設定キー）などの各種操作キーおよびＬＣＤ（液晶表示装置）とが一体化された本体側の筐体ケース１（図１の下側）と、この本体側の筐体ケースの底部（図１の上側）に位置する筐体ケース２とにより構成されている。
【００３６】
また、筐体ケース２の所定位置には、電池パック２０を収納するための電池収納部１０が設けられている。この電池収納部１０は、電池パック２０の大きさ（幅寸法）とほぼ同一の大きさを有する矩形型に形成された電池収納枠体３０を有しており、この電池収納枠体３０を構成する一方(図１の右側、図２−１の右側)の側板部１１には、電池パック２０の一端部(図１の右側、図２−１の右側)に設けられた２箇所（図２−１では、１箇所のみ示す）の凸部２１と係合する２箇所（図２−１では、１箇所のみ示す）の凹部１３が形成されている。
【００３７】
また、側板部１１（図８）のほぼ中央部には、電池パック２０のほぼ中央部に設けられた通電端子２３（図１０）と接触自在な通電端子１５が設けられている。電池収納部１０の開口部は、電池パック２０が収納されるとリアカバー３により閉塞される。
【００３８】
ここで、本実施例で示す電池パックの収納構造の特徴は、電池パック２０を電池収納枠体３０内に収納した場合に、電池収納枠体３０を構成する一対の側板部１１、側板部４０のうち側板部４０は、電池パック２０の装着時に、この電池パック２０を側板部１１側に押圧する方向に変位させる弾力を付与する機能を備えるようにしたことにある。
【００３９】
このため、電池収納枠体３０を構成する側板部４０には、弾性を有する樹脂材などが使用されるとともに、この側板部４０は、それぞれ反対側に向けてく字状に屈曲する第一の側板４１と第二の側板４２とを備えている。
【００４０】
後述するように、電池パック２０が電池収納枠体３０内に収納された場合、電池パック２０の円形凸部２２は、側板部４０の第一の側板４１から第二の側板４２に沿って（下方に向けて）摺動するため、電池パック２０は、これら第一の側板４１および第二の側板４２の弾力により側板部１１側（図１の右側）に向けて押圧される。
【００４１】
次に、図１および図２−２を参照して、携帯電話機Ｐに対するリアカバー３の取り付けについての詳細を説明する。すなわち、筐体ケース２の開口部の他端側（図２−２の左側）には、リアカバー３を筐体ケース２に取り付けるための溝孔５が形成されている。
【００４２】
同図に示すように、溝孔５の幅寸法は、リアカバー３の幅寸法とほぼ同寸法となるように設定された横長の溝部５ａと、この溝部５ａの開口側（図２−２の右側）に位置する段部５ｂとを有しており、このうち溝部５ａは、リアカバー３の他端部(図２−２の右側)に設けた鉤状に形成された係合爪部４ａと係合自在となっている。
【００４３】
また、溝孔５の段部５ｂは、電池パック２０が電池収納枠体３０内に収納された時に、第一の側板４１の先端部４１ａが当接する当接部として機能する。これにより、第一の側板４１をリアカバー３により所定の位置に確実に固定することができるため、側板部１１と側板部４０との間に収納した電池パック２０を安定した状態で保持することができる。
【００４４】
[携帯電話機Ｐに対する電池パック２０の収納手順]
次に、図３〜図５を参照して、本実施例による電池収納部１０に対する電池パック２０の収納手順について説明する。図３〜図５は、携帯電話機Ｐの電池収納部１０内に電池パック２０を収納する手順の一例を示している。ここで、図３は、電池パック２０の装着前の状態を、図４は、電池パック２０の装着途中の状態を、図５は、電池パック２０の装着及びリアカバー３の取り付け後の状態をそれぞれ示している。
【００４５】
すなわち、図３に示すように、（１）先ず、電池パック２０の一端部(図３の右側)に設けられた一対の凸部２１を、電池収納枠体３０の側板部１１に設けた凹部１３にそれぞれ嵌合させる。
【００４６】
（２）次に、図４に示すように、電池パック２０の他端部(図４の左側)を電池収納枠体３０内に嵌め込むとともに、この電池パック２０の円形凸部２２を電池収納枠体３０の側板部４０の第一の側板４１から第二の側板４２に沿って下方（図４の下側）に押し付けながら嵌め込む。これにより、電池パック２０を電池収納枠体３０を構成する側板部１１と側板部４０との間に容易に収納することができる。
【００４７】
ここで、図４に示す電池パック２０の収納手順の詳細について、図６および図７を参照して説明する。図６は、電池パック２０を電池収納枠体３０内に収納する以前の側板部４０の形状を、図７は、電池パック２０を電池収納枠体３０内に収納した時の側板部４０の形状をそれぞれ示す拡大図である。
【００４８】
すなわち、図６に示すように、側板部４０を構成する第一の側板４１および第二の側板４２の形状は、電池パック２０を電池収納枠体３０内に収納するまでは自由状態となっているが、図７に示すように、電池パック２０の収納時に、この電池パック２０を電池収納枠体３０内に収納すべく、電池パック２０の他端側（図７の左側）を側板部４０の第一の側板４１から第二の側板４２に沿って下方に向けて押し付けると、最初に電池パック２０の円形凸部２２は第一の側板４１の先端部４１ａに当接するとともに、この第一の側板４１の弾力に抗して、電池パック２０は、第二の側板４２と当接する位置に到達し、さらなる下方に向かう押圧により、第二の側板４２の弾力に抗して、電池収納枠体３０の内部に収納される。
【００４９】
そして、この時、電池パック２０を電池収納枠体３０内に収納した状態では、第一の側板４１および第二の側板４２の弾力により電池パック２０に対して、この電池パック２０を側板部１１側（図１の右側）に押圧する押圧力が作用する。このため、側板部１１に設けた通電端子１５（図８）に電池パック２０の一端側（図１０）に設けられた通電端子２３が一定の押圧力（側板部４０の弾力）で接触する。
【００５０】
また、電池パック２０は、この電池パック２０が完全に電池収納枠体３０の内部に収納された状態では、湾曲状態から正立状態となった第二の側板４２に当接した状態で保持される。この結果、携帯電話機Ｐ側の通電端子１５と電池パック２０の通電端子２３との接触を安定した状態で保持することができるため、携帯電話機Ｐの通電端子１５と電池パック２０の通電端子２３との接触不良などの不具合を防止することができる。
【００５１】
（３）次に、図５に示すように、電池収納枠体３０に対する電池パック２０の装着が完了した状態で、リアカバー３の他端部(図５の左側)に設けられている係合爪部４ａを溝孔５の溝部５ａと係合させるとともに、このリアカバー３の一端部(図５の右側)を電池収納枠体３０の筐体ケース２に形成された開口縁部に係合させる。これにより、リアカバー３により電池収納部１０の開口部を閉塞することができる。
【００５２】
また、同図に示すように、リアカバー３を電池収納部１０に取り付けた状態では、側板部４０の先端部４１ａは、溝部５ａの段部５ｂと当接する。これにより、電池収納枠体３０を構成する側板部４０を所定の位置に確実に固定することができる。以上説明した（１）〜（３）手順により、電池パック２０を携帯電話機Ｐの電池収納部１０内に装着し収納することができる。
【００５３】
以上説明したように、本実施例に係る携帯端末装置は、電池パック２０を収納する電池収納枠体３０は、電池パック２０を両側から保持する第一の側板４１と第二の側板４２とを有する側板部４０と側板部１１とから構成され、第一の側板４１および第二の側板４２は、電池パック２０の収納時に、電池パック２０の円形凸部２２との接触圧に抗して、電池パック２０を側板部１１側に押圧する方向に変位させる弾力を付与するので、携帯電話機Ｐ側の通電端子１５と電池パック２０の通電端子２３との接触を安定した状態で保持することができる。
【００５４】
なお、上述した実施例では、単体で構成された携帯電話機への適用例として説明したが、実施例で示した携帯電話機に限らず、ヒンジ構造による折り畳み方式の携帯電話機や例えば、スライド方式や平面内回転方式の連結部構成によって固定側筐体に対して可動側筐体を重ね合わせ自在とした携帯電話機を対象とする電池パックの収納部にも適用することができる。
【００５５】
また、本実施例では、携帯端末装置として、携帯電話機Ｐへの適用例として説明したが、本発明はこれに限定されるものではなく、ＰＤＡ（PersonalDigitalAssistants）のような小型情報処理端末、小型音楽再生装置、携帯型テレビ、携帯型ゲーム機等の他の各種携帯端末装置を対象とする電池パックの収納部にも適用することができる。
【００５６】
（付記１）電池パックを電池収納部内に収納する携帯端末装置であって、
前記電池収納部に形成された収納開口部を閉塞する閉塞カバーと
前記電池収納部の両側に配置されるとともに、前記電池パックを両側から保持する第一の側板部と第二の側板部とを備え、
前記第一の側板部の所定位置には、前記電池パックの収納時に、当該電池パックの一端面に設けられた電源供給端子と接触する通電端子が設けられ、
前記第二の側板部は、
前記電池収納部内に収納される電池パックの他端面との接触圧に抗して、当該電池パックを、前記第一の側板部側に押圧する方向に変位させることを特徴とする携帯端末装置。
【００５７】
（付記２）前記第二の側板部は、
前記電池収納部内に収納される電池パックの他端面との接触圧に抗して、前記電池パックを、前記第一の側板部側に押圧する弾性を有する弾性部材により構成されていることを特徴とする付記１に記載の携帯端末装置。
【００５８】
（付記３）前記第二の側板部は、弾性を有するとともに、それぞれ反対側に向けてく字状に屈曲する一対の側板部材を備え、前記電池パックの収納に伴う当該電池パックの他端面との当接時には、前記一対の側板部材が有する弾性力により、前記電池パックを第一の側板部側に向けて変位させることを特徴とする付記１に記載の携帯端末装置。
【００５９】
（付記４）前記電池収納部に形成された収納開口部の所定位置には、前記閉塞カバーに設けられた係合爪部と係合自在な係合溝部が形成されるとともに、当該係合溝部の一部には、前記第二の側板部の先端部と当接する段部が形成されていることを特徴とする付記１、２または３に記載の携帯端末装置。
【００６０】
（付記５）前記電池パックの他端面には、前記電池収納部内に電池パックを収納する際に、前記第一の側板部を押圧する凸部が設けられていることを特徴とする付記１〜４の何れか一つに記載の携帯端末装置。
【００６１】
（付記６）前記第二の側板部には、樹脂材料からなる部材が使用されることを特徴とする付記１〜５の何れか一つに記載の携帯端末装置。
【産業上の利用可能性】
【００６２】
以上のように、本発明に係る携帯端末装置は、電池収納部に対する電池パックの収納時に、携帯電話機の通電端子と電池パックの通電端子との接触を安定した状態で保持することのできる携帯端末装置に有用である。
【図面の簡単な説明】
【００６３】
【図１】本発明の実施例に係る携帯電話機の構成を示す縦断面図である。
【図２−１】図１の一方を示す要部拡大断面図である。
【図２−２】図１の他方を示す要部拡大断面図である。
【図３】電池パックの装着前の状態を示す携帯電話機の説明図である。
【図４】電池パックの装着途中の状態を示す携帯電話機の説明図である。
【図５】電池パックの装着及びリアカバーの取り付け後の状態を示す携帯電話機の説明図である。
【図６】電池パックの装着前の側板部の形状を示す要部拡大断面図である。
【図７】電池パックの装着後の側板部の形状を示す要部拡大断面図である。
【図８】従来の携帯電話機における電池パックの収納構造を示す分解斜視図である。
【図９】従来の携帯電話機に電池パックを装着する手順を示す説明図である。
【図１０】電池パックの通電端子と携帯電話機の通電端子との接触を示す説明図である。
【符号の説明】
【００６４】
Ｐ  携帯電話機
１、２  筐体ケース
３  リアカバー
４、４ａ  係合爪部
５、１６  溝孔
５ａ  溝部
５ｂ  段部
１０  電池収納部
１０ａ、３０  電池収納枠体
１１、１２、４０  側板部
１３  凹部
１４  円形凹部
１５、２３         通電端子
２０  電池パック
２１  凸部
２２  円形凸部
４１ａ  先端部
４１  第一の側板
４２  第二の側板
【図１】
2008109494.tif 000003
【図２−１】
2008109494.tif 000004
【図２−２】
2008109494.tif 000005
【図３】
2008109494.tif 000006
【図４】
2008109494.tif 000007
【図５】
2008109494.tif 000008
【図６】
2008109494.tif 000009
【図７】
2008109494.tif 000010
【図８】
2008109494.tif 000011
【図９】
2008109494.tif 000012
【図１０】
2008109494.tif 000013